(57)【要約】【課題】ハーフミラーの姿勢変更の操作アクションが小さく、かつ、表示装置を起動するスイッチの切替操作が直感的に分かり易い車両用インナーミラー及び車両用インナーミラーシステムを提供する。【解決手段】車両用インナーミラー１０は、表示装置１４と、ハーフミラー１６と、スイッチ１８と、アクチュエータ２０と、筐体３０とを備えている。ハーフミラー１６では、運転者が車両後方を見る第１姿勢、表示画面を見る第２姿勢のそれぞれに姿勢の変更が可能とされる。スイッチ１８は表示装置１４を起動する。アクチュエータ２０は表示装置１４の起動に連動してハーフミラー１６を第１姿勢から第２姿勢へ変更させる。【選択図】図２
2018090067.tif 000002
【特許請求の範囲】
【請求項１】
表示画面を有する表示装置と、
前記表示画面の前面に配置され、かつ、運転者が車両後方を見る第１姿勢、前記表示画面を見る第２姿勢のそれぞれに姿勢の変更が可能なハーフミラーと、
前記ハーフミラーを露出させる開口部を有し、前記ハーフミラー及び前記表示装置を内部に収納する筐体と、
前記筐体に設けられ、前記表示装置を起動させるスイッチと、
前記筐体に設けられ、前記スイッチによる前記表示装置の起動に連動して前記ハーフミラーを第１姿勢から第２姿勢へ変更させるアクチュエータと、
を備えた車両用インナーミラー。
【請求項２】
前記アクチュエータは、前記筐体に対してハーフミラーの姿勢を変更する請求項１に記載の車両用インナーミラー。
【請求項３】
前記スイッチはタクタイルスイッチ又は静電容量式スイッチであり、前記アクチュエータは電磁ソレノイドである請求項１又は請求項２に記載の車両用インナーミラー。
【請求項４】
請求項１〜請求項３のいずれか１項に記載された車両用インナーミラーと、
車両後方側を撮像する車載カメラと、
前記車載カメラから出力される撮像情報を画像情報に変換する画像変換部と、
前記画像変換部により変換された画像情報を前記表示画面に表示する信号処理をする信号処理部と、
を備えた車両用インナーミラーシステム。
【発明の詳細な説明】
【技術分野】
【０００１】
本発明は、車両用インナーミラー及び車両用インナーミラーシステムに関する。
【背景技術】
【０００２】
下記特許文献１には、車両用インナーミラーシステムが開示されている。この車両用インナーミラー本体の筐体は車室天井に支持アームを介して傾動可能に支承され、筐体内には表示装置及びハーフミラーが組込まれている。表示装置では、車載用カメラを用いて撮影された例えば車両後方側の画像を表示画面に表示することができる。ハーフミラーは筐体に固定され、筐体下方に突出された操作レバー部材を操作することにより筐体と共にハーフミラーを傾動させることができる。
運転者が車両後方側を見るとき、運転者は操作レバー部材を車両前方側へ押込めば、筐体と共にハーフミラーは運転者側へ傾動する。また、表示画面に表示される画像を見るとき、運転者は操作レバー部材を車両後方側へ引込めば、筐体と共にハーフミラーは車室天井側へ傾動する。ハーフミラーを車室天井側へと傾動させると、ハーフミラーの光反射が軽減され、運転者において表示画面に表示される画像が見易くなる。
そして、この車両用インナーミラーシステムでは、操作レバー部材の車両後方側への引込み操作に連動して表示装置の電源スイッチがオンになる構成とされている。
【０００３】
上記車両用インナーミラーシステムでは、操作レバー部材を車両後方側へ引込み、筐体全体を傾動させてハーフミラーも傾動させないと、表示装置の電源スイッチがオンにならない。このため、電源スイッチをオンにするための操作アクションが大きい。
また、操作レバー部材の引込み操作により表示装置の電源スイッチがオンになり、押込み操作により電源スイッチがオフになる。このため、一般的な電源スイッチのオン、オフの操作方向と逆になるので、表示装置のオン、オフ操作が直感的に分かり難い。
従って、ハーフミラーの姿勢変更の操作アクションが小さく、かつ、表示装置の電源スイッチの切替操作が直感的に分かり易い車両用インナーミラー及びそのシステムが望まれていた。
【先行技術文献】
【特許文献】
【０００４】
【特許文献１】特許第５９２９５０９号公報
【発明の概要】
【発明が解決しようとする課題】
【０００５】
本発明は、上記事実を考慮し、ハーフミラーの姿勢変更の操作アクションが小さく、かつ、表示装置を起動するスイッチの切替操作が直感的に分かり易い車両用インナーミラー及び車両用インナーミラーシステムを提供する。
【課題を解決するための手段】
【０００６】
上記課題を解決するため、本発明の第１実施態様に係る車両用インナーミラーは、表示画面を有する表示装置と、表示画面の前面に配置され、かつ、運転者が車両後方を見る第１姿勢、表示画面を見る第２姿勢のそれぞれに姿勢の変更が可能なハーフミラーと、ハーフミラーを露出させる開口部を有し、ハーフミラー及び表示装置を内部に収納する筐体と、筐体に設けられ、表示装置を起動させるスイッチと、筐体に設けられ、スイッチによる表示装置の起動に連動してハーフミラーを第１姿勢から第２姿勢へ変更させるアクチュエータと、を備えている。
【０００７】
第１実施態様に係る車両用インナーミラーは、表示画面を有する表示装置と、ハーフミラーと、ハーフミラーを露出させる開口部を有する筐体とを備える。筐体は表示装置及びハーフミラーを内部に収納する。また、筐体には表示装置を起動させるスイッチが設けられる。
【０００８】
ここで、車両用インナーミラーでは、ハーフミラーは、表示装置の表示画面の前面に配置され、運転者が車両後方を見る第１姿勢と表示画面を見る第２姿勢とのそれぞれに姿勢の変更を可能とする。そして、車両用インナーミラーでは、筐体にアクチュエータが設けられ、このアクチュエータはスイッチによる表示装置の起動に連動してハーフミラーを第１姿勢から第２姿勢へ変更させる。
このため、一般的なスイッチのオン、オフ切替操作と一致させて、スイッチの操作により表示装置を起動させることができ、かつ、表示装置の起動に連動して自動的にハーフミラーの姿勢を変更させることができる。
【０００９】
本発明の第２実施態様に係る車両用インナーミラーでは、第１実施態様に係る車両用インナーミラーにおいて、アクチュエータは、筐体に対してハーフミラーの姿勢を変更する。
【００１０】
第２実施態様に係る車両用インナーミラーによれば、アクチュエータはハーフミラーだけを移動させてハーフミラーの姿勢を変更するので、駆動力の小さいアクチュエータを使用することができる。このため、アクチュエータを小型化することができる。
【００１１】
本発明の第３実施態様に係る車両用インナーミラーでは、第１実施態様又は第２実施態様に係る車両用インナーミラーにおいて、スイッチはタクタイルスイッチ又は静電容量式スイッチであり、アクチュエータは電磁ソレノイドである。
【００１２】
第３実施態様に係る車両用インナーミラーによれば、タクタイルスイッチ又は静電容量式スイッチと電磁ソレノイドとの電子部品（又は電気部品）を用いて簡単な構造により車両用インナーミラーを実現することができる。
【００１３】
本発明の第４実施態様に係る車両用インナーミラーシステムは、第１実施態様〜第３実施態様のいずれか１つに記載された車両用インナーミラーと、車両後方側を撮像する車載カメラと、車載カメラから出力される撮像情報を画像情報に変換する画像変換部と、画像変換部により変換された画像情報を表示画面に表示する信号処理をする信号処理部と、を備えている。
【００１４】
第４実施態様に係る車両用インナーミラーシステムは、第１実施態様〜第３実施態様のいずれか１つに記載された車両用インナーミラーと、車載カメラと、画像変換部と、信号処理部とを備える。車載カメラは車両後方側を撮像する。画像変換部は、車載カメラから出力される撮像情報を画像情報に変換する。信号処理部は、画像変換部により変換された画像情報を表示装置に表示する信号処理をする。このため、上記車両用インナーミラーを有する車両用インナーミラーシステムを構築することができる。
【発明の効果】
【００１５】
本発明によれば、ハーフミラーの姿勢変更の操作アクションが小さく、かつ、表示装置の起動スイッチの切替操作が直感的に分かり易い車両用インナーミラー及び車両用インナーミラーシステムを提供することができる。
【図面の簡単な説明】
【００１６】
【図１】車両室内の運転席に着座状態の運転者から見た本発明の一実施の形態に係る車両用インナーミラーの正面図である。
【図２】図１に示されるＡ−Ａ線で切った車両用インナーミラーの側方側から見た拡大断面図である。
【図３】図２に示される車両用インナーミラーの筐体内部のハーフミラー、スイッチ、実装基板及びアクチュエータの一部を概略的に示す運転者側から見た斜視図である。
【図４】図１〜図３に示される車両用インナーミラーを含んで構成される車両用インナーミラーシステムのブロック構成図である。
【発明を実施するための形態】
【００１７】
以下、図１〜図４を用いて、本発明の一実施の形態に係る車両用インナーミラー及び車両用インナーミラーシステムを説明する。なお、図中、適宜示される符号ＦＲは、車両用インナーミラーのミラー前方側を示し、ここでは自動車等の車両に車両用インナーミラーが装着された状態において車両前方側と一致する方向である。符号ＩＮは、ミラー幅方向内側を示し、車両幅方向内側に一致する方向である。そして、符号ＵＰは、ミラー上方側を示し、車両上方側と一致する方向である。なお、本実施の形態に係る車両用インナーミラーは、一例として車両に装着され、車両の各方向に合わせて各構成要素を説明するが、車両用インナーミラーの適用方向が限定されるものではない。
【００１８】
（車両用インナーミラーの構成）
図１〜図３に示されるように、本実施の形態に係る車両用インナーミラー１０は、車両室内の車両前方側の上部に装着され、図示を省略した運転席（シート）に着座状態の運転者が車両後方側を見て安全の確認等に使用されている。車両用インナーミラー１０は、表示装置１４と、ハーフミラー１６と、スイッチ１８と、アクチュエータ２０と、筐体３０とを主要な構成要素として備えている。これらの表示装置１４、ハーフミラー１６及びアクチュエータ２０は筐体３０の内部に収納されている。
【００１９】
表示装置１４は、図４に示されるように、表示装置本体１４Ａと、照明部１４Ｂとを含んで構成されている。図１〜図３に示されるように、表示装置本体１４Ａは、ハーフミラー１６と同様に、ミラー幅方向を長手方向とし、ミラー上下方向を短手方向とし、そしてミラー前後方向を厚さ方向とする矩形板状とされている。ここで、表示装置本体１４Ａは液晶ディスプレイ（LCD：Liquid Crystal Display）により構成されている。図示を省略するが、表示装置本体１４Ａのミラー後方側（運転者側）の表面の大半は表示画面とされている。
照明部１４Ｂは、表示装置本体１４Ａと同様の形状により構成され、表示装置本体１４Ａのミラー前方側に重ねて組付けられている。照明部１４Ｂはバックライトとして使用されている。
なお、表示装置本体１４Ａは、有機エレクトロルミネッセンスディスプレイ（OELD：Organic Electro-Luminescence Display）等の他のディスプレイを使用してもよい。
【００２０】
ハーフミラー１６は、表示装置１４の表示画面の前面に重ねて表示装置１４よりもミラー後方側に配置され、表示装置１４と同様の矩形板状に形成されている。このハーフミラー１６は、光の一部を反射し、かつ、光の他の一部を透過する機能を有する。
図２及び図３に示されるように、ハーフミラー１６のミラー幅方向の両端においてミラー上下方向中間部には、それぞれ、筐体３０に回動自在に支持される一対の回動軸１６Ａが設けられている。ハーフミラー１６は、回動軸１６Ａ（図３に示される軸芯Ｇ−Ｇ）を中心として、回動軸１６Ａ周りに回動する構成とされている。
ここで、ハーフミラー１６は、運転者が着座状態において車両後方側を見る第１姿勢と、第１姿勢から若干上向きにして表示画面を見る第２姿勢とに姿勢の変更を可能としている。第２姿勢では、ハーフミラー１６に車両後方側の背景が写り込まない（車両室内の天井が写る）ので、表示画面が見易くなる。
なお、表示装置１４の表示装置本体１４Ａ、ハーフミラー１６は、いずれも矩形状に限定されるものではない。例えば、これらは、各角部が円弧状に形成された略矩形状、各角部が面取りされた多角形状、楕円形状等、様々な形状に形成してもよい。
【００２１】
表示装置１４のミラー前方側にこの表示装置１４に重ねて実装基板２４が設けられている。実装基板２４は例えばプリントサーキットボード（PCB：Printed Circuit Board）により構成されている。
図４に示されるように、実装基板２４には、画像変換部２４Ａと、信号処理部２４Ｂと、電源部２４Ｃとが少なくとも実装され、これらは簡略的に示された配線４４を介して相互に接続されている。画像変換部２４Ａは、車載カメラ４２から出力される撮像情報を画像情報に変換する。信号処理部２４Ｂは、画像変換部２４Ａにより変換された画像情報を表示装置１４の表示画面に表示する信号処理を行い、そして表示画面に画像を表示する。なお、配線４４は共通バス配線としてもよい。
【００２２】
図１〜図３に示されるように、本実施の形態において、スイッチ１８は、筐体３０のミラー後方側下部であってミラー幅方向中間部に、筐体３０からタッチ面（又はスイッチボタン）１８Ａを露出させて設けられている。スイッチ１８は、筐体３０の内部において、符号を省略した配線を介して実装基板２４に接続され、表示装置１４を起動させる。スイッチ１８は、タッチ面１８Ａを押すとオンとされ、表示画面に画像の表示を開始する。また、スイッチ１８は、タッチ面１８Ａを再度押す（或いは押戻す）とオフとされ、表示画面の画像の表示を終了させる。ここでは、スイッチ１８にオン、オフを切替えるオルタネイトタイプのタクタイルスイッチ（Tactile Switch）が使用されている。
なお、別途、スイッチ１８として、オン、オフの切替えに静電容量を利用した静電容量式スイッチを実用的に使用することができる。さらに、スイッチ１８は、筐体３０のミラー後方側においてミラー幅方向端部或いはミラー上部に設けてもよい。また、スイッチ１８は、筐体３０の底面や左右側面に設けてもよい。
【００２３】
図２及び図３に示されるように、アクチュエータ２０は、筐体３０の内部において、ハーフミラー１６のミラー前方側下部であってミラー幅方向端部に組付けられている。アクチュエータ２０は、筐体３０の内壁に組付けられていても、実装基板２４のミラー後方側の実装面に直接実装されていてもよい。アクチュエータ２０は、図４に示されるように、スイッチ１８、表示装置１４のそれぞれに接続されている。つまり、アクチュエータ２０は、スイッチ１８を操作して表示装置１４を起動させると、この表示装置１４の起動に連動して作動する構成とされている。アクチュエータ２０には電磁ソレノイドが使用されている。
【００２４】
図２及び図３に示されるように、アクチュエータ２０が作動されると、プランジャ２０Ａはミラー前方側からミラー後方側の矢印Ｃ方向へ移動する。これにより、プランジャ２０Ａは、ハーフミラー１６のミラー下方側をミラー後方側へ矢印Ｆ方向に押込む。ハーフミラー１６は回動軸１６Ａを軸芯として回動する構成とされているので、プランジャ２０Ａの矢印Ｃ方向の移動により、第１姿勢から第２姿勢へハーフミラー１６の姿勢を変更させることができる。
【００２５】
ハーフミラー１６の下部と筐体３０の内壁との間には弾性体２２が設けられている。配置箇所並びに配置数に限定はされないが、本実施の形態では、スイッチ１８を中心としてミラー幅方向両側の２箇所にそれぞれ配置されている。弾性体２２は、例えば多孔質のスポンジ材とされ、ハーフミラー１６を第２姿勢から第１姿勢へ押戻す方向の弾性力を作用させている。弾性体２２は、接着材、両面テープ等の接着手段を用いて、筐体３０又はハーフミラー１６に接着されている。
なお、弾性体２２はばねを用いてよい。
【００２６】
図１及び図３に示されるように、筐体３０は、樹脂製とされ、開口部３０Ｃを有する中空の直方体形状に形成されている。開口部３０Ｃはミラー後方側の後面を貫通して形成され、開口部３０Ｃの形状は、ハーフミラー１６を露出させ、運転者から見てミラー幅方向を長手方向とする矩形状に形成されている。筐体３０の内部には、ミラー後方側からミラー前方側に向かってハーフミラー１６、表示装置１４、実装基板２４のそれぞれが順次配置され、かつ、収納されている。
図２に示されるように、筐体３０は、ミラー前後方向中間部において、開口部３０Ｃを有する第１筐体３０Ａと、ミラー前方側を塞ぐ第２筐体３０Ｂとに２分割されている。この分割構造は、筐体３０の内部にハーフミラー１６、表示装置１４、実装基板２４等を収納し組付け易い構成とされている。
【００２７】
図１及び図２に示されるように、筐体３０の上部に支持アーム１２が設けられている。筐体３０、すなわち車両用インナーミラー１０は、支持アーム１２を介して、図示を省略した車両室内の天井に、又はフロントガラスの上部に取付けられている。
【００２８】
（車両用インナーミラーシステムの構成）
図４に示されるように、車両用インナーミラーシステム４０は、図示を省略した車両に装着され、車両後方側を撮像する車載カメラ４２と、図１〜図３を用いて説明した前述の車両用インナーミラー１０とを備えて構築されている。前述の通り車両用インナーミラー１０は表示装置１４及び実装基板２４を備え、車両用インナーミラーシステム４０では、車載カメラ４２により撮像された撮像情報を画像情報に変換し、この画像情報を表示装置１４の表示画面に表示することができる。車載カメラ４２、表示装置１４、実装基板２４は配線４４を介して相互に接続されている。配線４４には、実装基板２４上の配線と、有線ケーブルとが含まれている。また、配線４４の一部は通信を利用して無線とされてもよい。
そして、車両用インナーミラーシステム４０には、更にスイッチ１８及びアクチュエータ２０を備え、スイッチ１８及びアクチュエータ２０は配線４４に接続されている。このようなシステム構成により、車両用インナーミラーシステム４０では、スイッチ１８が操作されると表示装置１４が起動され、この起動に連動させてアクチュエータ２０を用いてハーフミラー１６の姿勢を変更することができる。
【００２９】
（本実施の形態の作用及び効果）
本実施の形態に係る車両用インナーミラー１０は、図１〜図３に示されるように、表示画面を有する表示装置１４と、ハーフミラー１６と、ハーフミラー１６を露出させる開口部３０Ｃを有する筐体３０とを備える。筐体３０は表示装置１４及びハーフミラー１６を内部に収納する。また、筐体３０には表示装置１４を起動させるスイッチ１８が設けられる。
【００３０】
ここで、車両用インナーミラー１０では、ハーフミラー１６は、表示装置１４の表示画面の前面に重ねて配置され、運転者が車両後方を見る第１姿勢と表示画面を見る第２姿勢とのそれぞれに姿勢の変更を可能とする。そして、車両用インナーミラー１０では、筐体３０にアクチュエータ２０が設けられ、このアクチュエータ２０はスイッチ１８による表示装置１４の起動に連動してハーフミラー１６を第１姿勢から第２姿勢へ変更させる。
【００３１】
詳しく説明すると、図２に示されるように、スイッチ１８のタッチ面１８Ａが運転者によりミラー後方側からミラー前方側へ矢印Ｂ方向に押込まれる。この押込みにより、スイッチ１８はオンとされ、表示装置１４が起動されて表示画面に画像の表示が開始される。この表示装置１４の起動に連動してアクチュエータ２０が作動し、アクチュエータ２０のプランジャ２０Ａがミラー前方側からミラー後方側へ矢印Ｃ方向に移動する。プランジャ２０Ａは矢印Ｃ方向と同一方向の矢印Ｆ方向へハーフミラー１６の下部を押込む。これにより、ハーフミラー１６は、回動軸１６Ａを軸芯として回動し、第１姿勢から第２姿勢へ変更される。
【００３２】
一方、スイッチ１８がオフにされると、表示画面の画像の表示が終了され、これに連動してアクチュエータ２０の作動が解除される。ハーフミラー１６は第２姿勢へ変更されたときに弾性体２２を押縮めているので、弾性体２２には矢印Ｆ方向とは逆の方向への弾性力が蓄えられる。この弾性力により、第２姿勢から第１姿勢へハーフミラー１６の姿勢が変更される。
【００３３】
このため、一般的なスイッチのオン、オフ切替操作と一致させて、スイッチ１８の操作により表示装置１４を起動させることができ、かつ、表示装置１４の起動に連動して自動的にハーフミラー１６の姿勢を変更させることができる。従って、車両用インナーミラー１０によれば、スイッチ１８の操作だけなので、ハーフミラー１６の姿勢変更の操作アクションが小さく、かつ、表示装置１４を起動するスイッチ１８の切替操作を直感的に分かり易くすることができる。
【００３４】
また、本実施の形態に係る車両用インナーミラー１０では、図２及び図３に示されるように、アクチュエータ２０は、筐体３０に対してハーフミラー１６の姿勢を変更する。つまり、ハーフミラー１６だけを移動させて姿勢が変更されるので、駆動力の小さいアクチュエータ２０を使用することができる。このため、アクチュエータ２０を小型化することができる。
【００３５】
さらに、本実施の形態に係る車両用インナーミラー１０では、スイッチ１８がタクタイルスイッチ又は静電容量式スイッチとされ、アクチュエータ２０が電磁ソレノイドとされる。このため、一般的な電子部品（又は電気部品）を用いて簡単な構造により車両用インナーミラー１０を実現することができる。
【００３６】
また、本実施の形態に係る車両用インナーミラーシステム４０は、図１〜図３に示される車両用インナーミラー１０と、図４に示される車載カメラ４２と、画像変換部２４Ａと、信号処理部２４Ｂとを含んで構成される。車載カメラ４２は車両後方側を撮像する。画像変換部２４Ａは、車載カメラ４２から出力される撮像情報を画像情報に変換する。信号処理部２４Ｂは、画像変換部２４Ａにより変換された画像情報を表示装置１４に表示する信号処理を行う。本実施の形態では、画像変換部２４Ａ及び信号処理部２４Ｂは、図２及び図３に示される実装基板２４に実装され、実装基板２４は筐体３０内に収納される。このため、上記車両用インナーミラー１０を有する車両用インナーミラーシステム４０を構築することができる。
【００３７】
［上記実施の形態の補足説明］
本発明は、上記実施の形態に限定されるものではなく、その要旨を逸脱しない範囲において変形可能である。例えば、本発明は、アクチュエータとして、表示装置の起動に連動して作動するモータを使用してもよい。このモータの回転によりハーフミラーの姿勢を変更するこができる。
また、ハーフミラーの回動軸の位置はミラー上下方向中間部に限定されるものではなく、本発明は、回動軸の位置をミラー上下方向上部或いは下部としてもよい。
【符号の説明】
【００３８】
１０  車両用インナーミラー
１４  表示装置
１６  ハーフミラー
１８  スイッチ
２０  アクチュエータ
２４  実装基板
２４Ａ  画像変換部
２４Ｂ  信号処理部
３０  筐体
３０Ｃ  開口部
４０  車両用インナーミラーシステム
４２  車載カメラ
【図１】
2018090067.tif 000003
【図２】
2018090067.tif 000004
【図３】
2018090067.tif 000005
【図４】
2018090067.tif 000006